(57)【要約】  本願は、リソース構成の方法及びデバイスを開示し、該方法は、端末デバイスがネットワークデバイスにより送信されたリソース構成情報を受信することと、前記端末デバイスが前記リソースマッピング関係に基づいて、前記端末デバイスが使用する目標ＢＷＰに対応する少なくとも１つの制御リソースセットにおいて、前記ネットワークデバイスにより送信された物理下り制御チャネルＰＤＣＣＨを監視測定することとを含み、前記リソース構成情報がＭ個の帯域幅部分ＢＷＰとＮ個の制御リソースセットとのリソースマッピング関係を示し、ＭとＮが正の整数である。したがって、端末デバイスが使用するＢＷＰが複数のＢＷＰで動的に切り替わる場合、ネットワークデバイスは、異なる制御リソースセットを使用してＰＤＣＣＨを送信することができるので、端末デバイスは、現在使用しているＢＷＰに対応する制御リソースセットでＰＤＣＣＨの監視測定を行うことにより、異なる周波数領域のリソースで柔軟なＰＤＣＣＨの伝送を可能にし、伝送効率を向上させ、端末デバイスの消費電力を減少させることができる。
2021515995.tif 000002
【特許請求の範囲】
【請求項１】
端末デバイスがネットワークデバイスにより送信されたリソース構成情報を受信することと、
前記端末デバイスがリソースマッピング関係に基づいて、前記端末デバイスが使用する目標ＢＷＰに対応する少なくとも１つの制御リソースセットにおいて、前記ネットワークデバイスにより送信された物理下り制御チャネルＰＤＣＣＨを監視測定することとを含み、
前記リソース構成情報がＭ個の帯域幅部分ＢＷＰとＮ個の制御リソースセットとのリソースマッピング関係を示し、ＭとＮが正の整数である
ことを特徴とするリソース構成の方法。
【請求項２】
前記リソース構成情報が前記Ｍ個のＢＷＰそれぞれの構成情報を含み、
前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項１に記載のリソース構成の方法。
【請求項３】
前記端末デバイスが前記ネットワークデバイスにより送信されたＰＤＣＣＨを監視測定する前に、前記方法は、さらに、
前記端末デバイスが前記目標ＢＷＰの構成情報から、前記目標ＢＷＰに対応する前記少なくとも１つの制御リソースセットの情報を取得することを含む
ことを特徴とする請求項２に記載のリソース構成の方法。
【請求項４】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項２又は３に記載のリソース構成の方法。
【請求項５】
前記ｉ番目のＢＷＰに対応する少なくとも１つの制御リソースセット内の各制御リソースセットの情報は、さらに、前記各制御リソースセットにおいてＰＤＣＣＨを監視測定する時間領域リソースの情報を含む
ことを特徴とする請求項４に記載のリソース構成の方法。
【請求項６】
前記時間領域リソースの情報は、ＰＤＣＣＨを監視測定するスロット又はシンボルの情報を含む
ことを特徴とする請求項５に記載のリソース構成の方法。
【請求項７】
前記リソース構成情報が前記Ｍ個のＢＷＰそれぞれの構成情報及び前記Ｎ個の制御リソースセットそれぞれの構成情報を含み、
前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である
ことを特徴とする請求項１に記載のリソース構成の方法。
【請求項８】
前記端末デバイスが前記ネットワークデバイスにより送信されたＰＤＣＣＨを監視測定する前に、前記方法は、さらに、
前記端末デバイスが前記Ｎ個の制御リソースセットの構成情報から、前記目標ＢＷＰのインデックスが含まれる少なくとも１つの構成情報を選定し、前記目標ＢＷＰのインデックスが含まれる前記少なくとも１つの構成情報から前記目標ＢＷＰに対応する前記少なくとも１つの制御リソースセットの情報を取得することを含む
ことを特徴とする請求項７に記載のリソース構成の方法。
【請求項９】
前記ｊ番目の制御リソースセットの情報は、ｊ番目の制御リソースセットが前記ｊ番目の制御リソースセットに対応するＢＷＰで占用する周波数領域リソースの情報を含む
ことを特徴とする請求項７又は８に記載のリソース構成の方法。
【請求項１０】
前記ｊ番目の制御リソースセットの情報は、さらに、前記ｊ番目の制御リソースセットにおいてＰＤＣＣＨを監視測定する時間領域リソースの情報を含む
ことを特徴とする請求項９に記載のリソース構成の方法。
【請求項１１】
前記時間領域リソースの情報は、ＰＤＣＣＨを監視測定するスロット又はシンボルの情報を含む
ことを特徴とする請求項１０に記載のリソース構成の方法。
【請求項１２】
ネットワークデバイスが端末デバイスにリソース構成情報を送信することを含み、
前記リソース構成情報がＭ個の帯域幅部分ＢＷＰとＮ個の制御リソースセットとのリソースマッピング関係を示し、ＭとＮが正の整数である
ことを特徴とするリソース構成の方法。
【請求項１３】
前記方法は、さらに、
前記ネットワークデバイスが、前記端末デバイスが使用する目標ＢＷＰに対応する少なくとも１つの制御リソースセットにおいて、前記端末デバイスに物理下り制御チャネルＰＤＣＣＨを送信することを含む
ことを特徴とする請求項１２に記載のリソース構成の方法。
【請求項１４】
前記リソース構成情報が前記Ｍ個のＢＷＰそれぞれの構成情報を含み、
前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項１２又は１３に記載のリソース構成の方法。
【請求項１５】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項１４に記載のリソース構成の方法。
【請求項１６】
前記ｉ番目のＢＷＰに対応する少なくとも１つの制御リソースセット内の各制御リソースセットの情報は、さらに、前記各制御リソースセットにおいてＰＤＣＣＨを伝送する時間領域リソースの情報を含む
ことを特徴とする請求項１５に記載のリソース構成の方法。
【請求項１７】
前記時間領域リソースの情報は、ＰＤＣＣＨを伝送するスロット又はシンボルの情報である
ことを特徴とする請求項１６に記載のリソース構成の方法。
【請求項１８】
前記リソース構成情報が前記Ｍ個のＢＷＰそれぞれの構成情報及び前記Ｎ個の制御リソースセットそれぞれの構成情報を含み、
前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である
ことを特徴とする請求項１２又は１３に記載のリソース構成の方法。
【請求項１９】
前記ｊ番目の制御リソースセットの情報は、ｊ番目の制御リソースセットが前記ｊ番目の制御リソースセットに対応するＢＷＰで占用する周波数領域リソースの情報を含む
ことを特徴とする請求項１８に記載のリソース構成の方法。
【請求項２０】
前記ｊ番目の制御リソースセットの情報は、さらに、前記ｊ番目の制御リソースセットにおいてＰＤＣＣＨを伝送する時間領域リソースの情報を含む
ことを特徴とする請求項１９に記載のリソース構成の方法。
【請求項２１】
前記時間領域リソースの情報は、ＰＤＣＣＨを伝送するスロット又はシンボルの情報である
ことを特徴とする請求項２０に記載のリソース構成の方法。
【請求項２２】
受信ユニットと、監視測定ユニットとを備える端末デバイスであって、
前記受信ユニットは、ネットワークデバイスにより送信されたリソース構成情報を受信するように構成され、前記リソース構成情報がＭ個の帯域幅部分ＢＷＰとＮ個の制御リソースセットとのリソースマッピング関係を示し、ＭとＮが正の整数であり、
前記監視測定ユニットは、前記リソースマッピング関係に基づいて、前記端末デバイスが使用する目標ＢＷＰに対応する少なくとも１つの制御リソースセットにおいて、前記ネットワークデバイスにより送信された物理下り制御チャネルＰＤＣＣＨを監視測定するように構成される
ことを特徴とする端末デバイス。
【請求項２３】
前記リソース構成情報が前記Ｍ個のＢＷＰそれぞれの構成情報を含み、
前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項２２に記載の端末デバイス。
【請求項２４】
前記端末デバイスが処理ユニットさらに含み、
処理ユニットは、前記目標ＢＷＰの構成情報から、前記目標ＢＷＰに対応する前記少なくとも１つの制御リソースセットの情報を取得するように構成される
ことを特徴とする請求項２３に記載の端末デバイス。
【請求項２５】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項２３又は２４に記載の端末デバイス。
【請求項２６】
前記ｉ番目のＢＷＰに対応する少なくとも１つの制御リソースセット内の各制御リソースセットの情報は、さらに、前記各制御リソースセットにおいてＰＤＣＣＨを監視測定する時間領域リソースの情報を含む
ことを特徴とする請求項２５に記載の端末デバイス。
【請求項２７】
前記時間領域リソースの情報は、ＰＤＣＣＨを監視測定するスロット又はシンボルの情報を含む
ことを特徴とする請求項２６に記載の端末デバイス。
【請求項２８】
前記リソース構成情報が前記Ｍ個のＢＷＰそれぞれの構成情報及び前記Ｎ個の制御リソースセットそれぞれの構成情報を含み、
前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である
ことを特徴とする請求項２２に記載の端末デバイス。
【請求項２９】
前記端末デバイスが処理ユニットをさらに含み、
前記処理ユニットは、前記Ｎ個の制御リソースセットの構成情報から、前記目標ＢＷＰのインデックスが含まれる少なくとも１つの構成情報を選定し、前記目標ＢＷＰのインデックスが含まれる前記少なくとも１つの構成情報から、前記目標ＢＷＰに対応する前記少なくとも１つの制御リソースセットの情報を取得するように構成される
ことを特徴とする請求項２８に記載の端末デバイス。
【請求項３０】
前記ｊ番目の制御リソースセットの情報は、ｊ番目の制御リソースセットが前記ｊ番目の制御リソースセットに対応するＢＷＰで占用する周波数領域リソースの情報を含む
ことを特徴とする請求項２８又は２９に記載の端末デバイス。
【請求項３１】
前記ｊ番目の制御リソースセットの情報は、さらに、前記ｊ番目の制御リソースセットにおいてＰＤＣＣＨを監視測定する時間領域リソースの情報を含む
ことを特徴とする請求項３０に記載の端末デバイス。
【請求項３２】
前記時間領域リソースの情報は、ＰＤＣＣＨを監視測定するスロット又はシンボルの情報を含む
ことを特徴とする請求項３１に記載の端末デバイス。
【請求項３３】
送信ユニットを備えるネットワークデバイスであって、
送信ユニットは、端末デバイスにリソース構成情報を送信するように構成され、前記リソース構成情報がＭ個の帯域幅部分ＢＷＰとＮ個の制御リソースセットとのリソースマッピング関係を示し、ＭとＮが正の整数である
ことを特徴とするネットワークデバイス。
【請求項３４】
前記送信ユニットは、さらに、
前記端末デバイスが使用する目標ＢＷＰに対応する少なくとも１つの制御リソースセットにおいて、前記端末デバイスに物理下り制御チャネルＰＤＣＣＨを送信するように構成される
ことを特徴とする請求項３３に記載のネットワークデバイス。
【請求項３５】
前記リソース構成情報が前記Ｍ個のＢＷＰそれぞれの構成情報を含み、前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項３３又は３４に記載のネットワークデバイス。
【請求項３６】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項３５に記載のネットワークデバイス。
【請求項３７】
前記ｉ番目のＢＷＰに対応する少なくとも１つの制御リソースセット内の各制御リソースセットの情報は、さらに、前記各制御リソースセットにおいてＰＤＣＣＨを伝送する時間領域リソースの情報を含む
ことを特徴とする請求項３６に記載のネットワークデバイス。
【請求項３８】
前記時間領域リソースの情報は、ＰＤＣＣＨを伝送するスロット又はシンボルの情報である
ことを特徴とする請求項３７に記載のネットワークデバイス。
【請求項３９】
前記リソース構成情報が前記Ｍ個のＢＷＰそれぞれの構成情報及び前記Ｎ個の制御リソースセットそれぞれの構成情報を含み、
前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である
ことを特徴とする請求項３３又は３４に記載のネットワークデバイス。
【請求項４０】
前記ｊ番目の制御リソースセットの情報は、ｊ番目の制御リソースセットが前記ｊ番目の制御リソースセットに対応するＢＷＰで占用する周波数領域リソースの情報を含む
ことを特徴とする請求項３９に記載のネットワークデバイス。
【請求項４１】
前記ｊ番目の制御リソースセットの情報は、さらに、前記ｊ番目の制御リソースセットにおいてＰＤＣＣＨを伝送する時間領域リソースの情報を含む
ことを特徴とする請求項４０に記載のネットワークデバイス。
【請求項４２】
前記時間領域リソースの情報は、ＰＤＣＣＨを伝送するスロット又はシンボルの情報である
ことを特徴とする請求項４１に記載のネットワークデバイス。
【発明の詳細な説明】
【技術分野】
【０００１】
本願の実施例は、通信分野に関し、具体的に、リソース構成の方法及びデバイスに関する。
【背景技術】
【０００２】
５Ｇシステムでは、物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )は、制御リソースセット( Ｃｏｎｔｒｏｌ Ｒｅｓｏｕｒｃｅ Ｓｅｔ、ＣＯＲＥＳＥＴ )で伝送される。また、５Ｇシステムにおけるシステム帯域幅は、複数の帯域幅部分( Ｂａｎｄｗｉｄｔｈ Ｐａｒｔ、ＢＷＰ )に分割されてよく、端末デバイスは、ネットワークデバイスの指示に応じて異なるＢＷＰを使用してよい。したがって、どのように異なる周波数領域リソースでＰＤＣＣＨの伝送を柔軟に行い、伝送効率を向上させるかが、解決すべき課題となっている。
【発明の概要】
【０００３】
本願の実施例は、異なる周波数領域リソースでＰＤＣＣＨの伝送を柔軟に行うことができ、伝送効率を向上させることができるリソース構成の方法及びデバイスを提供する。
【０００４】
第１の態様は、リソース構成の方法を提供し、端末デバイスがネットワークデバイスにより送信されたリソース構成情報を受信することと、前記端末デバイスが前記リソースマッピング関係に基づいて、前記端末デバイスが使用する目標ＢＷＰに対応する少なくとも１つの制御リソースセットにおいて、前記ネットワークデバイスにより送信された物理下り制御チャネルＰＤＣＣＨを監視測定することとを含み、前記リソース構成情報がＭ個の帯域幅部分ＢＷＰとＮ個の制御リソースセットとのリソースマッピング関係を示し、ＭとＮが正の整数である。
【０００５】
したがって、端末デバイスが使用するＢＷＰが複数のＢＷＰで動的に切り替わる場合、ネットワークデバイスは、異なる制御リソースセットを使用してＰＤＣＣＨを送信することができるので、端末デバイスは、現在使用しているＢＷＰに対応する制御リソースセットでＰＤＣＣＨの監視測定を行うことにより、異なる周波数領域のリソースで柔軟なＰＤＣＣＨの伝送を可能にし、伝送効率を向上させ、端末デバイスの消費電力を減少させることができる。
【０００６】
ある実現可能な形態において、前記リソース構成情報が前記Ｍ個のＢＷＰそれぞれの構成情報を含み、ここで、前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ここで、ｉが０〜Ｍ−１である。
【０００７】
この実施例では、ＢＷＰの構成情報に、ＢＷＰに対応する制御リソースセットの情報が含まれるので、制御リソースセットとＢＷＰと、制御リソースセットとＢＷＰとのリソースマッピング関係とを個別に示す必要がなく、シグナリングオーバーヘッドが省け、端末デバイスが各ＢＷＰに対応する少なくとも１つの制御リソースセットを迅速に決定することが容易になる。
【０００８】
ある実現可能な形態において、前記端末デバイスが前記ネットワークデバイスにより送信されたＰＤＣＣＨを監視測定する前に、前記方法は、さらに、前記端末デバイスが前記目標ＢＷＰの構成情報から、前記目標ＢＷＰに対応する前記少なくとも１つの制御リソースセットの情報を取得することを含む。
【０００９】
ある実現可能な形態において、前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む。
【００１０】
ある実現可能な形態において、前記ｉ番目のＢＷＰに対応する少なくとも１つの制御リソースセット内の各制御リソースセットの情報は、さらに、前記各制御リソースセットにおいてＰＤＣＣＨを監視測定する時間領域リソースの情報を含む。
【００１１】
ある実現可能な形態において、前記時間領域リソースの情報は、ＰＤＣＣＨを監視測定するスロット又はシンボルの情報を含む。
【００１２】
ある実現可能な形態において、前記リソース構成情報が前記Ｍ個のＢＷＰそれぞれの構成情報及び前記Ｎ個の制御リソースセットそれぞれの構成情報を含む。ここで、前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である。
【００１３】
この実施例では、ＣＯＲＥＳＥＴの構成情報とＢＷＰの構成情報を別のフィールドで指示し、ＣＯＲＥＳＥＴの構成情報毎にそのＣＯＲＥＳＥＴに対応するＢＷＰのインデックスを追加することで、形式１よりも柔軟なＣＯＲＥＳＥＴ構成を実現することができる。
【００１４】
ある実現可能な形態において、前記端末デバイスが前記ネットワークデバイスにより送信されたＰＤＣＣＨを監視測定する前に、前記方法は、さらに、前記端末デバイスが前記Ｎ個の制御リソースセットの構成情報から、前記目標ＢＷＰのインデックスが含まれる少なくとも１つの構成情報を選定し、前記目標ＢＷＰのインデックスが含まれる前記少なくとも１つの構成情報から前記目標ＢＷＰに対応する前記少なくとも１つの制御リソースセットの情報を取得することを含む。
【００１５】
ある実現可能な形態において、前記ｊ番目の制御リソースセットの情報は、ｊ番目の制御リソースセットが前記ｊ番目の制御リソースセットに対応するＢＷＰで占用する周波数領域リソースの情報を含む。
【００１６】
ある実現可能な形態において、前記ｊ番目の制御リソースセットの情報は、さらに、前記ｊ番目の制御リソースセットにおいてＰＤＣＣＨを監視測定する時間領域リソースの情報を含む。
【００１７】
ある実現可能な形態において、前記時間領域リソースの情報は、ＰＤＣＣＨを監視測定するスロット又はシンボルの情報を含む。
【００１８】
第２の態様は、リソース構成の方法を提供し、ネットワークデバイスが端末デバイスにリソース構成情報を送信することを含み、前記リソース構成情報がＭ個の帯域幅部分ＢＷＰとＮ個の制御リソースセットとのリソースマッピング関係を示し、ＭとＮが正の整数である。
【００１９】
したがって、端末デバイスが使用するＢＷＰが複数のＢＷＰで動的に切り替わる場合、ネットワークデバイスは、異なる制御リソースセットを使用してＰＤＣＣＨを送信することができるので、端末デバイスは、現在使用しているＢＷＰに対応する制御リソースセットでＰＤＣＣＨの監視測定を行うことにより、異なる周波数領域のリソースで柔軟なＰＤＣＣＨの伝送を可能にし、伝送効率を向上させ、端末デバイスの消費電力を減少させることができる。
【００２０】
ある実現可能な形態において、前記方法は、さらに、前記ネットワークデバイスが、前記端末デバイスが使用する目標ＢＷＰに対応する少なくとも１つの制御リソースセットにおいて、前記端末デバイスに物理下り制御チャネルＰＤＣＣＨを送信することを含む。
【００２１】
ある実現可能な形態において、前記リソース構成情報が前記Ｍ個のＢＷＰそれぞれの構成情報を含み、ここで、前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ここでｉが０〜Ｍ−１である。
【００２２】
ある実現可能な形態において、前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む。
【００２３】
ある実現可能な形態において、前記ｉ番目のＢＷＰに対応する少なくとも１つの制御リソースセット内の各制御リソースセットの情報は、さらに、前記各制御リソースセットにおいてＰＤＣＣＨを伝送する時間領域リソースの情報を含む。
【００２４】
ある実現可能な形態において、前記時間領域リソースの情報は、ＰＤＣＣＨを伝送するスロット又はシンボルの情報である。
【００２５】
ある実現可能な形態において、前記リソース構成情報が前記Ｍ個のＢＷＰそれぞれの構成情報及び前記Ｎ個の制御リソースセットそれぞれの構成情報を含む。ここで、前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である。
【００２６】
ある実現可能な形態において、前記ｊ番目の制御リソースセットの情報は、ｊ番目の制御リソースセットが前記ｊ番目の制御リソースセットに対応するＢＷＰで占用する周波数領域リソースの情報を含む。
【００２７】
ある実現可能な形態において、前記ｊ番目の制御リソースセットの情報は、さらに、前記ｊ番目の制御リソースセットにおいてＰＤＣＣＨを伝送する時間領域リソースの情報を含む。
【００２８】
ある実現可能な形態において、前記時間領域リソースの情報は、ＰＤＣＣＨを伝送するスロット又はシンボルの情報である。
【００２９】
第３の態様は、上記第１の態様又は第１の態様の任意の代替的な実装態様における端末デバイスの動作を実行することができる端末デバイスを提供する。具体的には、端末デバイスは、上記の第１の態様又は第１の態様の任意の可能な実装形態における端末デバイスの動作を実行するためのモジュールユニットを含み得る。
【００３０】
第４の態様は、上記第２の態様又は第２の態様の任意の代替的な実装態様におけるネットワークデバイスの動作を実行することができるネットワークデバイスを提供する。具体的には、ネットワークデバイスは、上記の第２の態様又は第２の態様の任意の可能な実装形態における端末デバイスの動作を実行するためのモジュールユニットを含み得る。
【００３１】
第５の態様は、プロセッサと、送受信機と、メモリとを有する端末デバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第１の態様または第１の態様の任意の可能な実装形態における方法を実行させるか、または、端末デバイスに、第３の態様で提供される端末デバイスを実装させる。
【００３２】
第６の態様は、プロセッサと、送受信機と、メモリとを有するネットワークデバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、ネットワークデバイスに、第２の態様または第２の態様の任意の可能な実装形態における方法を実行させるか、または、ネットワークデバイスに、第４の態様で提供されるネットワークデバイスを実装させる。
【００３３】
第７の態様は、入力インターフェースと、出力インターフェースと、プロセッサと、メモリとを含むシステムチップを提供し、プロセッサは、メモリに記憶された命令を実行し、プロセッサは、命令が実行されたときに、第１の態様または第１の態様の任意の可能な実装形態における方法を実装する。
【００３４】
第８の態様は、入力インターフェースと、出力インターフェースと、プロセッサと、メモリとを含むシステムチップを提供し、プロセッサは、メモリに記憶された命令を実行し、プロセッサは、命令が実行されたときに、第２の態様または第２の態様の任意の可能な実装形態における方法を実装する。
【００３５】
第９の態様は、命令を含むコンピュータプログラム製品を提供し、コンピュータプログラム製品がコンピュータ上で実行されると、コンピュータに、第１の態様または第１の態様の任意の可能な実装形態における方法を実行させる。
【００３６】
第１０の態様は、命令を含むコンピュータプログラム製品を提供し、コンピュータプログラム製品がコンピュータ上で実行されると、コンピュータに、第２の態様または第２の態様の任意の可能な実装形態における方法を実行させる。
【図面の簡単な説明】
【００３７】
【図１】本願の実施例における無線通信システムの模式図である。
【図２】本願の実施例におけるリソース構成の方法のフローチャートである。
【図３】本願の実施例におけるＢＷＰとＣＯＲＥＳＥＴの模式図である。
【図４】本願の実施例におけるＢＷＰとＣＯＲＥＳＥＴの模式図である。
【図５】本願の実施例における端末デバイスのブロック図である。
【図６】本願の実施例におけるネットワークデバイスのブロック図である。
【図７】本願の実施例における通信デバイスのブロック図である。
【図８】本願の実施例におけるシステムチップの構成図である。
【発明を実施するための形態】
【００３８】
本願実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ ( ＧＳＭ )方式、Ｃｏｄｅ Ｄｉｖｉｓｉｏｎ Ｍｕｌｔｉｐｌｅ Ａｃｃｅｓｓ ( ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )方式、Ｇｅｎｅｒａｌ Ｐａｃｋｅｔ Ｒａｄｉｏ Ｓｅｒｖｉｃｅ ( ＧＰＲＳ )方式、Ｌｏｎｇ Ｔｅｒｍ Ｅｖｏｌｕｔｉｏｎ ( ＬＴＥ )方式、Ｆｒｅｑｕｅｎｃｙ Ｄｉｖｉｓｉｏｎ Ｄｕｐｌｅｘ （ ＦＤＤ )方式、Ｔｉｍｅ Ｄｉｖｉｓｉｏｎ Ｄｕｐｌｅｘ （ ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ （ ＷｉＭＡＸ )方式、将来の５Ｇ方式等の移動通信システム、あるいは、これらを組み合わせた通信システム等に適用することができる。
【００３９】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００４０】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００４１】
任意選択で、端末デバイス１２０間の端末直接接続( Ｄｅｖｉｃｅ ｔｏ Ｄｅｖｉｃｅ、Ｄ２Ｄ )通信が行われてもよい。
【００４２】
任意選択で、５Ｇシステム又はネットワークは、新たな無線( Ｎｅｗ Ｒａｄｉｏ、ＮＲ )システム又はネットワークと呼ばれることもある。
【００４３】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００４４】
任意選択で、この無線通信システム１００は、ネットワークコントローラ、モビリティ管理エンティティなどの他のネットワークエンティティをさらに含むことができ、本願の実施例はこれに限定されない。
【００４５】
ＮＲシステムでは、システム帯域幅は、複数の帯域幅部分 ( Ｂａｎｄｗｉｄｔｈ Ｐａｒｔ、ＢＷＰ ) (または、帯域幅セグメント、伝送帯域幅などと呼ばれる)に分割され得、ネットワークデバイスは、その端末デバイスが使用するＢＷＰを端末デバイスに示し得、端末デバイスは、異なるＢＷＰを使用してデータを伝送し、ＰＤＣＣＨの監視測定がネットワークデバイスにより構成された固定されたＣＯＲＥＳＥＴに従って依然として行われる場合、ＰＤＣＣＨの伝送効率が低下し、端末デバイスの消費電力が増加する。
【００４６】
本願の実施例において、異なるＢＷＰにおいてＰＤＣＣＨを送信するためのＣＯＲＥＳＥＴは、柔軟に構成され、端末デバイスが異なるＢＷＰを使用する場合、ネットワークデバイスは、ＢＷＰに対して構成された少なくとも１つのＣＯＲＥＳＥＴを使用してＰＤＣＣＨを送信し、端末デバイスは、ＢＷＰに対して構成された少なくとも１つのＣＯＲＥＳＥＴにおいてＰＤＣＣＨを監視測定することにより、異なる周波数領域リソースにおいてＰＤＣＣＨの伝送を柔軟に行うことができ、伝送効率を向上させ、端末デバイスの電力消費を低減させる。
【００４７】
図２は、本願の実施例によるリソース構成の方法のフローチャートである。図２に示すネットワークデバイスは、例えば、図１に示すネットワークデバイス１１０であってもよく、図２に示す端末デバイスは、例えば、図１に示す端末デバイス１２０であってもよい。図２に示すように、このリソース構成の方法は、以下のステップを含む
２１０において、ネットワークデバイスが端末デバイスにリソース構成情報を送信する。
【００４８】
２２０において、端末デバイスは、ネットワークデバイスにより送信されたリソース構成情報を受信する。
【００４９】
ここで、このリソース構成情報は、Ｍ個のＢＷＰとＮ個の制御リソースセットとのリソースマッピング関係を示し、ＭとＮが正の整数である。
【００５０】
任意選択で、２２０の後に、この方法は、２３０を含む。
【００５１】
２３０において、このネットワークデバイスは、この端末デバイスが使用する目標ＢＷＰに対応する少なくとも１つの制御リソースセットにおいて、この端末デバイスにＰＤＣＣＨを送信する。
【００５２】
２４０において、この端末デバイスは、このリソースマッピング関係に基づいて、この端末デバイスが使用する目標ＢＷＰに対応する少なくとも１つの制御リソースセットにおいて、このネットワークデバイスにより送信されたＰＤＣＣＨを監視測定する。
【００５３】
このリソースマッピング関係では、各ＢＷＰは、少なくとも１つの制御リソースセットに対応し得るものであり、任意の２つの異なるＢＷＰに対応する少なくとも１つの制御リソースセットは、同一であってもよいし、部分的に同一であってもよいし、または異なってもよい。
【００５４】
したがって、端末デバイスが使用するＢＷＰが複数のＢＷＰで動的に切り替わる場合、ネットワークデバイスは、異なる制御リソースセットを使用してＰＤＣＣＨを送信することができ、端末デバイスは、現在使用しているＢＷＰに対応する制御リソースセットにおいてＰＤＣＣＨの監視測定(または、リッスン、センシング、検出など)を行うことにより、異なる周波数領域リソースにおいてＰＤＣＣＨの柔軟な伝送を可能にし、伝送効率を向上させ、端末デバイスの電力消費を減少させることができる。
【００５５】
このリソースマッピング関係は、ネットワークデバイスが決定してリソース構成情報により端末デバイスに構成するものであってもよく、あるいは、ネットワークデバイスと端末デバイスとの間で予め取り決められた例えばプロトコルで規定されたものであってもよい。
【００５６】
本願の実施例において、このリソースマッピング関係を示すリソース構成情報は、以下の２つの形式があり、以下、説明する。
【００５７】
形式１
任意選択で、該リソース構成情報が該Ｍ個のＢＷＰそれぞれの構成情報を含む。ここで、該Ｍ個のＢＷＰのｉ番目のＢＷＰの構成情報は、該ｉ番目のＢＷＰの情報、及び該ｉ番目のＢＷＰに対応する少なくとも１つの制御リソースセットの情報を含み、ｉが０〜Ｍ−１である（ｉが０〜Ｍ−１に亘る）。
【００５８】
ここで、Ｍ個のＢＷＰの構成情報は、それぞれＭ個の独立したフィールドを占有し、ここで、各ＢＷＰの構成情報は、その専属の連続したフィールドに搬送され、各ＢＷＰの構成情報が専属のフィールドには、そのＢＷＰに対応するＣＯＲＥＳＥＴの情報が含まれる。したがって、各ＢＷＰの構成情報には、ＢＷＰ自体の情報だけでなく、ＢＷＰに対応する少なくとも１つの制御リソースセットの情報も含まれる。ここでのフィールドは、シーケンス（ｓｅｑｕｅｎｃｅ）、フィールド（ｆｉｅｌｄ）、情報フィールド等と呼ぶこともできる。
【００５９】
例えば、ｉ番目のＢＷＰの構成情報には、ｉ番目のＢＷＰに関するいくつかの情報、例えば、パラメータ情報、リソース位置情報、ＰＤＣＣＨの情報、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )の情報、物理ランダムアクセスチャネル( Ｐｈｙｓｉｃａｌ Ｒａｎｄｏｍ Ａｃｃｅｓｓ Ｃｈａｎｎｅｌ、ＲＡＣＨ )の情報などが含まれる。この実施例では、該ｉ番目のＢＷＰの構成情報には、上記のような情報だけでなく、該ｉ番目のＢＷＰに対応する少なくとも１つの制御リソースセットの情報も含まれる。ここで、該ｉ番目のＢＷＰに対応する少なくとも１つの制御リソースセットの情報は、該ＢＷＰの構成情報に属し、該ＢＷＰに専属する構成情報のフィールドの中の一部を占める。該端末デバイスは、該リソース構成情報を受信すると、各ＢＷＰの構成情報から、該ＢＷＰ自身に関する情報と、該ＢＷＰに対応する少なくとも１つの制御リソースセットの情報とを取得することができる。
【００６０】
端末デバイスが現在に目標ＢＷＰを利用してデータ伝送を行う場合、ネットワークデバイスが該目標ＢＷＰに対応する少なくとも１つの制御リソースセットにおいて端末デバイスにＰＤＣＣＨを送信し、これに対応し、端末デバイスがその使用する該目標ＢＷＰに対応する少なくとも１つの制御リソースセットから、ネットワークデバイスにより送信されたＰＤＣＣＨを検出する。
【００６１】
任意選択で、該ｉ番目のＢＷＰの構成情報に含まれる少なくとも１つの制御リソースセットの各制御リソースセットの情報は、各制御リソースセットが該ｉ番目のＢＷＰで占用する周波数領域リソースの情報を含む。
【００６２】
さらに、任意選択で、該ｉ番目のＢＷＰに対応する少なくとも１つの制御リソースセットの各制御リソースセットの情報には、該各制御リソースセットにおいてＰＤＣＣＨを監視測定する時間領域リソースの情報（検索空間（ｓｅａｒｃｈ ｓｐａｃｅ）とも言われる）、例えば、ＰＤＣＣＨを監視測定するスロット又はシンボルの情報が含まれる。
【００６３】
リソース構成情報が形式１で該ＢＷＰと制御リソースセットとのリソースマッピング関係を示す場合、任意選択で、２４０の前に、該端末デバイスは、該目標ＢＷＰの構成情報から、該目標ＢＷＰに対応する該少なくとも１つの制御リソースセットの情報を取得することができる。
【００６４】
例えば、図３に示すＢＷＰとＣＯＲＥＳＥＴの模式図であり、該リソース構成情報にはＭ個のＢＷＰの構成情報が含まれ、Ｍ＝４と仮定する。ここで、ＢＷＰ ０の構成情報にはＢＷＰ ０の情報及び該ＢＷＰ ０に対応する少なくとも１つのＣＯＲＥＳＥＴ（ＣＯＲＥＳＥＴ ０、ＣＯＲＥＳＥＴ １、ＣＯＲＥＳＥＴ ２及びＣＯＲＥＳＥＴ ３）の情報が含まれ、ここで、各ＣＯＲＥＳＥＴの情報に該ＣＯＲＥＳＥＴのＢＷＰ ０で占用する周波数領域リソースの情報が含まれ、ＢＷＰ １の構成情報には、ＢＷＰ １の情報及び該ＢＷＰ １対応する少なくとも１つのＣＯＲＥＳＥＴ（ＣＯＲＥＳＥＴ ０及びＣＯＲＥＳＥＴ １）の情報が含まれ、ここで、各ＣＯＲＥＳＥＴの情報に該ＣＯＲＥＳＥＴのＢＷＰ １で占用する周波数領域リソースの情報が含まれ、ＢＷＰ ２の構成情報には、ＢＷＰ ２の情報及び該ＢＷＰ ２対応する少なくとも１つのＣＯＲＥＳＥＴ（ＣＯＲＥＳＥＴ ０、ＣＯＲＥＳＥＴ １及びＣＯＲＥＳＥＴ ２）の情報が含まれ、ここで、各ＣＯＲＥＳＥＴの情報に該ＣＯＲＥＳＥＴのＢＷＰ ２で占用する周波数領域リソースの情報が含まれ、ＢＷＰ ３の構成情報には、ＢＷＰ ３の情報及び該ＢＷＰ ３対応する少なくとも１つのＣＯＲＥＳＥＴ（ＣＯＲＥＳＥＴ ０及びＣＯＲＥＳＥＴ １）の情報が含まれ、ここで、各ＣＯＲＥＳＥＴの情報に該ＣＯＲＥＳＥＴのＢＷＰ ４で占用する周波数領域リソースの情報が含まれる。
【００６５】
このように、図３において、各ＢＷＰの構成情報に該ＢＷＰの情報及びその該ＢＷＰに対応する少なくとも１つのＣＯＲＥＳＥＴの情報が含まれる。ここで、異なるＢＷＰの構成情報は、互いに独立して重なり合わない異なるフィールドに含まれることができる。
【００６６】
端末デバイスが現在使用する目標ＢＷＰがＢＷＰ ０である場合、ネットワークデバイスがＢＷＰ ０に対応する少なくとも１つのＣＯＲＥＳＥＴにＰＤＣＣＨを送信し、これに対応し、端末デバイスが該ＢＷＰ ０ の構成情報から該ＢＷＰ ０対応する少なくとも１つのＣＯＲＥＳＥＴの情報を直接取得し、該少なくとも１つのＣＯＲＥＳＥＴにおいてネットワークデバイスにより送信されたＰＤＣＣＨを監視測定し、端末デバイスが現在使用する目標ＢＷＰがＢＷＰ １である場合、ネットワークデバイスがＢＷＰ １に対応する少なくとも１つのＣＯＲＥＳＥＴにおいてＰＤＣＣＨを送信し、これに対応し、端末デバイスが該ＢＷＰ １ の構成情報から該ＢＷＰ １対応する少なくとも１つのＣＯＲＥＳＥＴの情報を直接取得し、該少なくとも１つのＣＯＲＥＳＥＴにおいてネットワークデバイスにより送信されたＰＤＣＣＨを監視測定し、端末デバイスが現在使用する目標ＢＷＰがＢＷＰ ２である場合、ネットワークデバイスがＢＷＰ ２に対応する少なくとも１つのＣＯＲＥＳＥＴにおいてＰＤＣＣＨを送信し、これに対応し、端末デバイスが該ＢＷＰ ２の構成情報から該ＢＷＰ ２対応する少なくとも１つのＣＯＲＥＳＥＴの情報をっ直接取得し、該少なくとも１つのＣＯＲＥＳＥＴにおいてネットワークデバイスにより送信されたＰＤＣＣＨを監視測定し、端末デバイスが現在使用する目標ＢＷＰがＢＷＰ ３である場合、ネットワークデバイスがＢＷＰ ３に対応する少なくとも１つのＣＯＲＥＳＥＴにおいてＰＤＣＣＨを送信し、これに対応し、端末デバイスが該ＢＷＰ ３の構成情報から該ＢＷＰ ３対応する少なくとも１つのＣＯＲＥＳＥＴの情報を直接取得し、該少なくとも１つのＣＯＲＥＳＥＴにおいてネットワークデバイスにより送信されたＰＤＣＣＨを監視測定する。
【００６７】
この実施例では、各ＢＷＰの構成情報に、このＢＷＰに対応する制御リソースセットの情報が含まれるので、制御リソースセットと、制御リソースセットとＢＷＰとのリソースマッピング関係とを個別に示す必要がなく、シグナリングオーバーヘッドが省け、端末デバイスが各ＢＷＰに対応する少なくとも１つの制御リソースセットを迅速に決定することが容易になる。
【００６８】
形式２
任意選択で、該リソース構成情報は、該Ｍ個のＢＷＰそれぞれの構成情報及び該Ｎ個の制御リソースセットのそれぞれ構成情報を含み、ここで、該Ｍ個のＢＷＰのｉ番目のＢＷＰの構成情報が該ｉ番目のＢＷＰの情報を含み、該Ｎ個の制御リソースセットのｊ番目の制御リソースセットの構成情報が該ｊ番目の制御リソースセットの情報、及び該ｊ番目の制御リソースセットに対するＢＷＰのインデックスを含み、ｉが０〜Ｍ−１であり、ｊが０〜Ｎ−１である。
【００６９】
具体的には、このリソース構成情報には、Ｍ個のＢＷＰの構成情報と、Ｎ個の制御リソースセットの構成情報とが含まれる。Ｍ個のＢＷＰの構成情報は、それぞれＭ個の独立したフィールドを占有してもよい。Ｎ個の制御リソースセットの構成情報は、それぞれＮ個の独立したフィールドを占有し、各制御リソースセットの構成情報は、その連続する専有のフィールドに含まれる。前記リソース構成情報における各ＢＷＰの構成情報は、このＢＷＰの情報を含み、該リソース構成情報における各制御リソースセットの構成情報は、該制御リソースセットの情報と、前記制御リソースセットが存在するＢＷＰのインデックスとを含む。ここでのフィールドは、シーケンス（ｓｅｑｕｅｎｃｅ）、フィールド（ｆｉｅｌｄ）、情報フィールド等と呼ぶこともできる。
【００７０】
例えば、Ｎ個の制御リソースセットのうちj番目の制御リソースセットの構成情報は、該j番目の制御リソースセットの情報、例えば、j番目の制御リソースセットがその対応するＢＷＰにおいて占用する周波数領域リソースの情報を含み、更に、該制御リソースセットが対応する該ＢＷＰのインデックスを含む。このインデックスが示すＢＷＰが、該制御リソースセットが対応するＢＷＰである。ここで、異なる制御リソースセットは、同一のまたは異なるＢＷＰに対応することができ、例えば、任意の２つの制御リソースセットの構成情報に含まれるＢＷＰインデックスは、同一のまたは異なることができる。
【００７１】
任意選択で、該ｊ番目の制御リソースセットの情報は、ｊ番目の制御リソースセットが該ｊ番目の制御リソースセットに対応するＢＷＰで占用する周波数領域リソースの情報を含む。
【００７２】
さらに、任意選択で、該ｊ番目の制御リソースセットの情報は、さらに、該ｊ番目の制御リソースセットにおいてＰＤＣＣＨを監視測定する時間領域リソースの情報（検索空間（ｓｅａｒｃｈ ｓｐａｃｅ）とも言われる）、例えば、ＰＤＣＣＨを監視測定するスロット又はシンボルの情報を含む。
【００７３】
リソース構成情報が形式２で該ＢＷＰと制御リソースセットとのリソースマッピング関係を示す場合、任意選択で、２４０の前に、該端末デバイスは、該Ｎ個の制御リソースセットの構成情報から、該目標ＢＷＰのインデックスが含まれる少なくとも１つの構成情報を選定し、該目標ＢＷＰのインデックスが含まれる該少なくとも１つの構成情報から、該目標ＢＷＰに対応する該少なくとも１つの制御リソースセットの情報を取得する。
【００７４】
例えば、図４に示すＢＷＰとＣＯＲＥＳＥＴとの模式図であり、該リソース構成情報は、Ｍ個のＢＷＰの構成情及びＮ個の制御リソースセットの構成情報を含む。Ｍ＝４、Ｎ＝１１と仮定する。ここで、ＢＷＰ ０の構成情報にＢＷＰ ０の情報が含まれ、ＢＷＰ １の構成情報にＢＷＰ １の情報が含まれ、ＢＷＰ ２の構成情報にＢＷＰ ２の情報が含まれ、ＢＷＰ ３の構成情報にＢＷＰ ３の情報が含まれる。
【００７５】
ここで、制御リソースセット０の構成情報には、制御リソースセット０が属するＢＷＰのインデックス（インデックス０）、及び制御リソースセット０がインデックス０によって示すＢＷＰで占用する周波数領域リソースの情報が含まれ、制御リソースセット１の構成情報には、制御リソースセット１が属するＢＷＰのインデックス（インデックス１）、及び制御リソースセット１がインデックス１によって示すＢＷＰで占用する周波数領域リソースの情報が含まれ、制御リソースセット２の構成情報には、制御リソースセット２が属するＢＷＰのインデックス（インデックス０）、及び制御リソースセット２がインデックス０によって示すＢＷＰで占用する周波数領域リソースの情報が含まれ、制御リソースセット３の構成情報には、制御リソースセット３が属するＢＷＰのインデックス（インデックス２）、及び制御リソースセット３がインデックス２によって示すＢＷＰで占用する周波数領域リソースの情報が含まれ、制御リソースセット４の構成情報には、制御リソースセット４が属するＢＷＰのインデックス（インデックス０）、及び制御リソースセット４がインデックス０によって示すＢＷＰで占用する周波数領域リソースの情報が含まれ、制御リソースセット５の構成情報には、制御リソースセット５が属するＢＷＰのインデックス（インデックス０）、及び制御リソースセット５がインデックス０によって示すＢＷＰで占用する周波数領域リソースの情報が含まれ、制御リソースセット６の構成情報には、制御リソースセット６が属するＢＷＰのインデックス（インデックス２）、及び制御リソースセット６がインデックス２によって示すＢＷＰで占用する周波数領域リソースの情報が含まれ、制御リソースセット７の構成情報には、制御リソースセット７が属するＢＷＰのインデックス（インデックス３）、及び制御リソースセット７がインデックス３によって示すＢＷＰで占用する周波数領域リソースの情報が含まれ、制御リソースセット８の構成情報には、制御リソースセット８が属するＢＷＰのインデックス（インデックス１）、及び制御リソースセット８がインデックス１によって示すＢＷＰで占用する周波数領域リソースの情報が含まれ、制御リソースセット９の構成情報には、制御リソースセット９が属するＢＷＰのインデックス（インデックス２）、及び制御リソースセット９がインデックス２によって示すＢＷＰで占用する周波数領域リソースの情報が含まれ、制御リソースセット１０の構成情報には、制御リソースセット１０が属するＢＷＰのインデックス（インデックス３）、及び制御リソースセット１３がインデックス３によって示すＢＷＰで占用する周波数領域リソースの情報が含まれる。
【００７６】
このように、図４において、各制御リソースセットの構成情報は、該制御リソースセットの情報及び該制御リソースセットに対応するＢＷＰのインデックスを含む。各制御リソースセットの構成情報内のＢＷＰのインデックスは、Ｍ個のＢＷＰのうちの１つのＢＷＰを示す。
【００７７】
端末デバイスが現在使用する目標ＢＷＰのインデックスがＢＷＰ ０である場合、端末デバイスがこられのＮ個のＣＯＲＥＳＥＴの構成情報に基づいて、それらからインデックス０が含まれる構成情報を選定し、図４から、インデックス０が含まれる構成情報がＣＯＲＥＳＥＴ ０、ＣＯＲＥＳＥＴ １、ＣＯＲＥＳＥＴ ２及びＣＯＲＥＳＥＴ ３の構成情報を含み、即ち、インデックス０が示すＢＷＰに対応する少なくとも１つの制御リソースセットは、ＣＯＲＥＳＥＴ ０、ＣＯＲＥＳＥＴ １、ＣＯＲＥＳＥＴ ２及びＣＯＲＥＳＥＴ ３である。そして、端末デバイスがインデックス０によって示す該ＢＷＰの構成情報から該ＢＷＰの情報を取得し、該ＢＷＰに位置するＣＯＲＥＳＥＴ ０、ＣＯＲＥＳＥＴ １、ＣＯＲＥＳＥＴ ２及びＣＯＲＥＳＥＴ ３において、ネットワークデバイスにより送信されたＰＤＣＣＨを監視測定する。
【００７８】
この実施例では、ＣＯＲＥＳＥＴの構成情報とＢＷＰの構成情報を別のフィールドで指示し、各ＣＯＲＥＳＥＴの構成情報にそのＣＯＲＥＳＥＴに対応するＢＷＰのインデックスを追加することで、形式１よりも柔軟なＣＯＲＥＳＥＴ構成を実現することができる。
【００７９】
なお、この実施例では、このリソース構成情報は、Ｎ個の制御リソースセットの構成情報に加えて、Ｎ個の制御リソースセット以外の他の制御リソースセットの構成情報を含んでもよい。例えば、該リソース構成情報には、少なくとも１つの共通制御リソースセットの構成情報等も含まれ、該共通制御リソースセットの構成情報には、該共通制御リソースセットが占有する周波数領域リソースの情報(検索空間( ｓｅａｒｃｈ ｓｐａｃｅ )とも称され得る)が含まれ、又は、ＰＤＣＣＨを監視測定するためのシンボルまたはスロットの情報がさらに含まれてもよい。この共通制御リソースセットの構成情報には、例えば、該共通制御リソースセットが占用する周波数領域リソースの情報が含まれていてもよく、ＢＷＰインデックスが含まれていなくてもよい。
【００８０】
形式１では、ＢＷＰとＣＯＲＥＳＥＴとのリソースマッピング関係は、ＢＷＰとＣＯＲＥＳＥＴとの従属関係によって示し、具体的には、この従属関係は、あるＢＷＰの構成情報が属するフィールドに、そのＢＷＰに対応するＣＯＲＥＳＥＴの情報を追加することで実現される。 
形式２では、ＢＷＰの構成情報とＣＯＲＥＳＥＴの構成情報との間は独立であり、ＢＷＰの構成情報は、正常に該ＢＷＰを指示するが、ＣＯＲＥＳＥＴの構成情報は、該ＣＯＲＥＳＥＴが占める周波数領域リソースの情報だけでなく、該ＣＯＲＥＳＥＴが対応するＢＷＰのインデックス(又は番号)を示す。
【００８１】
図５は本願の実施例における端末デバイス５００のブロック図である。図５に示すように、該端末デバイス５００は、受信ユニット５１０及び監視測定ユニット５２０を含む。
【００８２】
受信ユニット５１０は、ネットワークデバイスにより送信されたリソース構成情報を受信するように構成され、前記リソース構成情報がＭ個の帯域幅部分ＢＷＰとＮ個の制御リソースセットとのリソースマッピング関係を示し、ＭとＮが正の整数であり、
監視測定ユニット５２０は、前記リソースマッピング関係に基づいて、前記端末デバイスが使用する目標ＢＷＰに対応する少なくとも１つの制御リソースセットにおいて、前記ネットワークデバイスにより送信された物理下り制御チャネルＰＤＣＣＨを監視測定するように構成される。
【００８３】
したがって、端末デバイスが使用するＢＷＰが複数のＢＷＰで動的に切り替わる場合、ネットワークデバイスは、異なる制御リソースセットを使用してＰＤＣＣＨを送信することができるので、端末デバイスは、現在使用しているＢＷＰに対応する制御リソースセットでＰＤＣＣＨの監視測定を行うことにより、異なる周波数領域のリソースで柔軟なＰＤＣＣＨの伝送を可能にし、伝送効率を向上させ、端末デバイスの消費電力を減少させることができる。
【００８４】
任意選択で、前記リソース構成情報が前記Ｍ個のＢＷＰそれぞれの構成情報を含み、ここで、前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ここで、ｉが０〜Ｍ−１である。
【００８５】
任意選択で、前記端末デバイスがさらに処理ユニットを含み、処理ユニットは、前記目標ＢＷＰの構成情報から、前記目標ＢＷＰに対応する前記少なくとも１つの制御リソースセットの情報を取得するように構成される。
【００８６】
任意選択で、前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む。
【００８７】
任意選択で、前記ｉ番目のＢＷＰに対応する少なくとも１つの制御リソースセット内の各制御リソースセットの情報は、さらに、前記各制御リソースセットにおいてＰＤＣＣＨを監視測定する時間領域リソースの情報を含む。
【００８８】
任意選択で、前記時間領域リソースの情報は、ＰＤＣＣＨを監視測定するスロット又はシンボルの情報を含む。
【００８９】
任意選択で、前記リソース構成情報が前記Ｍ個のＢＷＰそれぞれの構成情報及び前記Ｎ個の制御リソースセットそれぞれの構成情報を含む。ここで、前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である。
【００９０】
任意選択で、前記端末デバイスが処理ユニットをさらに含み、処理ユニットは、前記Ｎ個の制御リソースセットの構成情報から、前記目標ＢＷＰのインデックスが含まれる少なくとも１つの構成情報を選定し、前記目標ＢＷＰのインデックスが含まれる前記少なくとも１つの構成情報から、前記目標ＢＷＰに対応する前記少なくとも１つの制御リソースセットの情報を取得するように構成される。
【００９１】
任意選択で、前記ｊ番目の制御リソースセットの情報は、ｊ番目の制御リソースセットが前記ｊ番目の制御リソースセットに対応するＢＷＰで占用する周波数領域リソースの情報を含む。
【００９２】
任意選択で、前記ｊ番目の制御リソースセットの情報は、さらに、前記ｊ番目の制御リソースセットにおいてＰＤＣＣＨを監視測定する時間領域リソースの情報を含む。
【００９３】
任意選択で、前記時間領域リソースの情報は、ＰＤＣＣＨを監視測定するスロット又はシンボルの情報を含む。
【００９４】
なお、この端末デバイス５００は、上述した方法２００の端末デバイスによる動作を実行することができるが、ここでは説明を省略する。
【００９５】
図６は本願の実施例におけるネットワークデバイス６００のブロック図である。図６に示すように、該ネットワークデバイス６００が送信ユニット６１０を含み、送信ユニット６１０は、端末デバイスにリソース構成情報を送信するように構成され、前記リソース構成情報がＭ個の帯域幅部分ＢＷＰとＮ個の制御リソースセットとのリソースマッピング関係を示し、ＭとＮが正の整数である。
【００９６】
したがって、端末デバイスが使用するＢＷＰが複数のＢＷＰで動的に切り替わる場合、ネットワークデバイスは、異なる制御リソースセットを使用してＰＤＣＣＨを送信することができるので、端末デバイスは、現在使用しているＢＷＰに対応する制御リソースセットでＰＤＣＣＨの監視測定を行うことにより、異なる周波数領域のリソースで柔軟なＰＤＣＣＨの伝送を可能にし、伝送効率を向上させ、端末デバイスの消費電力を減少させることができる。
【００９７】
任意選択で、前記送信ユニット６１０は、さらに、前記端末デバイスが使用する目標ＢＷＰに対応する少なくとも１つの制御リソースセットにおいて、前記端末デバイスに物理下り制御チャネルＰＤＣＣＨを送信するように構成される。
【００９８】
任意選択で、前記リソース構成情報が前記Ｍ個のＢＷＰそれぞれの構成情報を含み、ここで、前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ここで、ｉが０〜Ｍ−１である。
【００９９】
任意選択で、前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む。
【０１００】
任意選択で、前記ｉ番目のＢＷＰに対応する少なくとも１つの制御リソースセット内の各制御リソースセットの情報は、さらに、前記各制御リソースセットにおいてＰＤＣＣＨを伝送する時間領域リソースの情報を含む。
【０１０１】
任意選択で、前記時間領域リソースの情報は、ＰＤＣＣＨを伝送するスロット又はシンボルの情報である。
【０１０２】
任意選択で、前記リソース構成情報が前記Ｍ個のＢＷＰそれぞれの構成情報及び前記Ｎ個の制御リソースセットそれぞれの構成情報を含む。ここで、前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である。
【０１０３】
任意選択で、前記ｊ番目の制御リソースセットの情報は、ｊ番目の制御リソースセットが前記ｊ番目の制御リソースセットに対応するＢＷＰで占用する周波数領域リソースの情報を含む。
【０１０４】
任意選択で、前記ｊ番目の制御リソースセットの情報は、さらに、前記ｊ番目の制御リソースセットにおいてＰＤＣＣＨを伝送する時間領域リソースの情報を含む。
【０１０５】
任意選択で、前記時間領域リソースの情報は、ＰＤＣＣＨを伝送するスロット又はシンボルの情報である。
【０１０６】
なお、ネットワークデバイス６００は、上述の方法２００においてネットワークデバイスによって実行される対応する動作を実行してもよく、ここでは説明を省略する。
【０１０７】
図７は、本願の実施例に係る通信デバイス７００の概略構成図である。図７に示すように、通信デバイスは、プロセッサ７１０、送受信機７２０、及びメモリ７３０を備え、プロセッサ７１０、送受信機７２０、及びメモリ７３０は、内部接続経路を介して互いに通信する。メモリ７３０は、命令を格納するために使用され、プロセッサ７１０は、送受信機７２０を制御して信号を受信または送信するためにメモリ７３０に格納された命令を実行するために使用される。
【０１０８】
任意選択で、プロセッサ７１０は、メモリ７３０に記憶されたプログラムコードを呼び出して、方法２００の端末デバイスによって実行される対応する動作を実行してもよく、簡潔のためにここでは詳しい説明を省略する。
【０１０９】
任意選択で、プロセッサ７１０は、メモリ７３０に記憶されたプログラムコードを呼び出して、方法２００のネットワークデバイスによって実行される対応する動作を実行してもよく、簡潔のためにここでは詳しい説明を省略する。 
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１１０】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書で説明するシステム及び方法のメモリは、これら及び任意の他の適切なタイプのメモリを含むことを意図しているが、これらに限定されないことに留意されたい。
【０１１１】
図８は、本願の実施例におけるシステムチップの概略構成図である。図８のシステムチップ８００は、入力インターフェース８０１、出力インターフェース８０２、少なくとも１つのプロセッサ８０３、メモリ８０４を含み、前記入力インターフェース８０１、出力インターフェース８０２、前記プロセッサ８０３及びメモリ８０４の間は、内部接続経路によって互いに接続される。プロセッサ８０３は、メモリ８０４内のコードを実行するように構成される。
【０１１２】
任意選択で、コードが実行されると、プロセッサ８０３は、方法２００において端末デバイスによって実行される対応する動作を実施してもよい。簡潔にするために、ここで説明を省略する。
【０１１３】
任意選択で、コードが実行されると、プロセッサ８０３は、方法２００においてネットワークデバイスによって実行される対応する動作を実施してもよい。簡潔にするために、ここで説明を省略する。
【０１１４】
なお、本願の実施の形態において、「Ａに対応する(対応する) Ｂ」とは、ＢがＡに対応付けられていることを意味し、Ａに応じてＢが決定されてもよい。ＡからＢを決定することは、ＡのみからＢを決定することを意味するのではなく、Ａおよび/または他の情報からＢを決定することもできる。
【０１１５】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１１６】
当業者であれば、説明の便宜及び簡潔にするために、上記に説明されたシステム、装置及びユニットの特定の動作プロセスが、前述の方法の実施例における対応するプロセスを参照してよく、ここでその説明が省略される。
【０１１７】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１１８】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１１９】
また、本願の各実施例における各機能部は、一つの監視ユニットに集積されてもよく、各ユニットが物理的に別個に存在してもよく、二つ以上のユニットが一つのユニットに集積されてもよい。
【０１２０】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２１】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021515995.tif 000003
【図２】
2021515995.tif 000004
【図３】
2021515995.tif 000005
【図４】
2021515995.tif 000006
【図５】
2021515995.tif 000007
【図６】
2021515995.tif 000008
【図７】
2021515995.tif 000009
【図８】
2021515995.tif 000010
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
端末デバイスがリソース構成情報を取得することと、
前記端末デバイスがリソースマッピング関係に基づいて、前記端末デバイスが使用する目標ＢＷＰに対応する少なくとも１つの制御リソースセットにおいて、物理下り制御チャネルＰＤＣＣＨを監視測定することとを含み、
前記リソース構成情報がＭ個の帯域幅部分ＢＷＰとＮ個の制御リソースセットとのリソースマッピング関係を示し、ＭとＮが正の整数である
ことを特徴とするリソース構成の方法。
【請求項２】
前記リソース構成情報が前記Ｍ個のＢＷＰそれぞれの構成情報を含み、
前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項１に記載のリソース構成の方法。
【請求項３】
前記方法は、さらに、
前記端末デバイスが前記目標ＢＷＰの構成情報から、前記目標ＢＷＰに対応する前記少なくとも１つの制御リソースセットの情報を取得することを含む
ことを特徴とする請求項２に記載のリソース構成の方法。
【請求項４】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項２又は３に記載のリソース構成の方法。
【請求項５】
前記ｉ番目のＢＷＰに対応する少なくとも１つの制御リソースセット内の各制御リソースセットの情報は、さらに、前記各制御リソースセットにおいてＰＤＣＣＨを監視測定する時間領域リソースの情報を含む
ことを特徴とする請求項４に記載のリソース構成の方法。
【請求項６】
前記ｉ番目のＢＷＰに対応する少なくとも１つの制御リソースセット内の各制御リソースセットの情報は、さらに、前記ｉ番目のＢＷＰに対応する制御リソースセット（ＣＯＲＥＳＥＴ）の情報を含む
ことを特徴とする請求項２に記載のリソース構成の方法。
【請求項７】
前記時間領域リソースの情報は、ＰＤＣＣＨを監視測定するシンボルの情報を含む
ことを特徴とする請求項５に記載のリソース構成の方法。
【請求項８】
前記リソース構成情報が前記Ｍ個のＢＷＰそれぞれの構成情報及び前記Ｎ個の制御リソースセットそれぞれの構成情報を含み、
前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である
ことを特徴とする請求項１に記載のリソース構成の方法。
【請求項９】
受信ユニットと、監視測定ユニットとを備える端末デバイスであって、
前記受信ユニットは、リソース構成情報を取得するように構成され、前記リソース構成情報がＭ個の帯域幅部分ＢＷＰとＮ個の制御リソースセットとのリソースマッピング関係を示し、ＭとＮが正の整数であり、
前記監視測定ユニットは、前記リソースマッピング関係に基づいて、前記端末デバイスが使用する目標ＢＷＰに対応する少なくとも１つの制御リソースセットにおいて、物理下り制御チャネルＰＤＣＣＨを監視測定するように構成される
ことを特徴とする端末デバイス。
【請求項１０】
前記リソース構成情報が前記Ｍ個のＢＷＰそれぞれの構成情報を含み、
前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項９に記載の端末デバイス。
【請求項１１】
前記端末デバイスが処理ユニットさらに含み、
処理ユニットは、前記目標ＢＷＰの構成情報から、前記目標ＢＷＰに対応する前記少なくとも１つの制御リソースセットの情報を取得するように構成される
ことを特徴とする請求項１０に記載の端末デバイス。
【請求項１２】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項１０又は１１に記載の端末デバイス。
【請求項１３】
前記ｉ番目のＢＷＰに対応する少なくとも１つの制御リソースセット内の各制御リソースセットの情報は、さらに、前記各制御リソースセットにおいてＰＤＣＣＨを監視測定する時間領域リソースの情報を含む
ことを特徴とする請求項１２に記載の端末デバイス。
【請求項１４】
前記ｉ番目のＢＷＰに対応する少なくとも１つの制御リソースセット内の各制御リソースセットの情報は、さらに、前記ｉ番目のＢＷＰに対応する制御リソースセット（ＣＯＲＥＳＥＴ）の情報を含む
ことを特徴とする請求項１０に記載の端末デバイス。
【請求項１５】
前記時間領域リソースの情報は、ＰＤＣＣＨを監視測定するシンボルの情報を含む
ことを特徴とする請求項１３に記載の端末デバイス。
【請求項１６】
前記リソース構成情報が前記Ｍ個のＢＷＰそれぞれの構成情報及び前記Ｎ個の制御リソースセットそれぞれの構成情報を含み、
前記Ｍ個のＢＷＰ内のｉ番目のＢＷＰの構成情報が前記ｉ番目のＢＷＰの情報を含み、前記Ｎ個の制御リソースセット内のｊ番目の制御リソースセットの構成情報が前記ｊ番目の制御リソースセットの情報及び前記ｊ番目の制御リソースセットに対応するＢＷＰのインデックスを含み、ｉが０〜Ｍ−１であり、ｊが０〜Ｎ−１である
ことを特徴とする請求項９に記載の端末デバイス。
【請求項１７】
送信ユニットを備えるネットワークデバイスであって、
送信ユニットは、端末デバイスにリソース構成情報を送信するように構成され、前記リソース構成情報がＭ個の帯域幅部分ＢＷＰとＮ個の制御リソースセットとのリソースマッピング関係を示し、ＭとＮが正の整数である
ことを特徴とするネットワークデバイス。
【請求項１８】
前記送信ユニットは、さらに、
前記端末デバイスが使用する目標ＢＷＰに対応する少なくとも１つの制御リソースセットにおいて、前記端末デバイスに物理下り制御チャネルＰＤＣＣＨを送信するように構成される
ことを特徴とする請求項１７に記載のネットワークデバイス。
【請求項１９】
前記リソース構成情報が前記Ｍ個のＢＷＰそれぞれの構成情報を含み、前記Ｍ個のＢＷＰのうちのｉ番目のＢＷＰの構成情報が前記ｉ番目のＢＷＰの情報及び前記ｉ番目のＢＷＰに対応する少なくとも１つの制御リソースセットの情報を含み、ｉが０〜Ｍ−１である
ことを特徴とする請求項１７又は１８に記載のネットワークデバイス。
【請求項２０】
前記ｉ番目のＢＷＰに対応する少なくとも１つの制御リソースセットの情報は、前記ｉ番目のＢＷＰの専属のフィールドに搬送される
ことを特徴とする請求項１９に記載のネットワークデバイス。
【請求項２１】
前記ｉ番目のＢＷＰに対応する少なくとも１つの制御リソースセット内の各制御リソースセットの情報は、前記各制御リソースセットが前記ｉ番目のＢＷＰで占用する周波数領域リソースの情報を含む
ことを特徴とする請求項１９又は２０に記載のネットワークデバイス。
【請求項２２】
前記ｉ番目のＢＷＰに対応する少なくとも１つの制御リソースセット内の各制御リソースセットの情報は、さらに、前記各制御リソースセットにおいてＰＤＣＣＨを伝送する時間領域リソースの情報を含む
ことを特徴とする請求項２１に記載のネットワークデバイス。
【請求項２３】
前記ｉ番目のＢＷＰに対応する少なくとも１つの制御リソースセット内の各制御リソースセットの情報は、さらに、前記ｉ番目のＢＷＰに対応する制御リソースセット（ＣＯＲＥＳＥＴ）の情報を含む
ことを特徴とする請求項１９に記載のネットワークデバイス。
【請求項２４】
前記時間領域リソースの情報は、ＰＤＣＣＨを伝送するシンボルの情報である
ことを特徴とする請求項２２に記載のネットワークデバイス。
【国際調査報告】
2021515995.tif 000011
2021515995.tif 000012
2021515995.tif 000013
2021515995.tif 000014